(57)【要約】【課題】内容物の出し入れを容易に行うことができ、且つ簡単な構造で安定して積み重ねることができるトレイを提供する。【解決手段】  トレイ１は、底壁の第１方向の端部に立設される端壁１１と、底壁の第２方向の端部に立設される側壁１２と、側壁１２の第１方向の端部に側部折曲線Ｌ１０を介して連設されている折返壁１３と、を備え、底壁と側壁１２との間には、第１方向の端部から内側に向かって第２切込部３５が切り込まれ、折返壁１３は、端壁１１に重なるように側部折曲線Ｌ１０に沿って折り曲げられた状態で側部折曲線Ｌ１０から先端に向かって底壁から離れるように傾斜した姿勢になり、折返壁１３が底壁の側に押し付けられながら端壁１１に保持される過程で、側壁１２は、第２切込部３５の突当り部３５Ａと側部折曲線Ｌ１０の上端部とを結ぶ線を支点として側部折曲線Ｌ１０の下端部を第２方向外側に突出させるように変形する。【選択図】図１
2019142536.tif 000002
【特許請求の範囲】
【請求項１】
底壁（１０）と、
前記底壁の第１方向の端部に立設される第１側壁（１１）と、
前記底壁の第１方向に交差する第２方向の端部に立設される第２側壁（１２）と、
前記第２側壁の第１方向の端部に折曲線（Ｌ１０（Ｌ１１，Ｌ１２））を介して連設されている折返壁（１３（１４，１５））と、を備え、
前記底壁と前記第２側壁との間には、第１方向の端部から内側に向かって切込部（３５）が切り込まれ、
前記折返壁は、前記第１側壁に重なるように前記折曲線に沿って折り曲げられた状態で前記折曲線から先端に向かって前記底壁から離れるように傾斜した姿勢になり、
前記折返壁が前記底壁の側に押し付けられながら前記第１側壁に保持される過程で、前記第２側壁は、前記切込部の突当り部（３５Ａ）と前記折曲線の上端部とを結ぶ線を支点として前記折曲線の下端部を第２方向外側に突出させるように変形することを特徴とするトレイ。
【請求項２】
前記底壁と前記第２側壁とを平坦に展開した状態において前記折曲線（Ｌ１０）は、前記切込部から第２方向外側に向かって第１方向外側に傾斜した状態に形成され、
前記折曲線と前記折返壁（１３）の第２方向の外側縁部（１３Ｂ）との成す角度（θ２）が鈍角に設定されていることを特徴とする請求項１に記載のトレイ。
【請求項３】
前記底壁と前記第２側壁とを平坦に展開した状態において前記折返壁（１４）は、前記折曲線から第２方向内側に向かって斜めに延設され、
前記折曲線（Ｌ１１）と前記折返壁の第２方向の外側縁部（１４Ｂ）との成す角度（θ２）が鈍角に設定されていることを特徴とする請求項１に記載のトレイ。
【請求項４】
前記底壁と前記第２側壁とを平坦に展開した状態において前記折返壁（１５）は、前記折曲線から第２方向外側に向かって斜めに延設され、
前記折曲線（Ｌ１２）と前記折返壁の第２方向の外側縁部（１５Ｂ）との成す角度（θ２）が鈍角に設定されていることを特徴とする請求項１に記載のトレイ。
【請求項５】
前記第２側壁には、前記切込部の前記突当り部から前記折曲線の上端部までの間に斜めに延びて前記第２側壁を谷折りさせる逆折曲線（Ｌ２０）が形成されていることを特徴とする請求項１ないし４のいずれかに記載のトレイ。
【請求項６】
前記第１側壁は、第１外壁（２０）と第１内壁（２２）と対向させた二重構造に形成され、
前記折返壁は、前記底壁の側に押し付けられながら前記第１外壁と前記第１内壁との間に挟まれて保持されることを特徴とする請求項１ないし５のいずれかに記載のトレイ。
【請求項７】
前記第２側壁は、第２外壁（３０）と第２内壁（３２）と対向させた二重構造に形成され、
前記折返壁は、前記折曲線を介して前記第２外壁の第１方向の端部に連設されていることを特徴とする請求項１ないし６のいずれかに記載のトレイ。
【発明の詳細な説明】
【技術分野】
【０００１】
本発明は、トレイに関する。
【背景技術】
【０００２】
上下に複数積層可能なトレイが知られている。
【０００３】
例えば、特許文献１に記載の包装用紙箱は、底面を中心に一対の側面と妻面とを備えている。各側面の自由端部には張出部が形成され、各妻面の自由端部には上面部材が連設されている。各側面の両端部には傾斜した折込片が連設され、各折込片の自由端コーナー部に突片が形成されている。この紙箱は、側面と妻面とがそれぞれ外側に開いて箱体を形成する。上面部材は妻面から内側に延びて箱体の上面開口の一部を塞ぎ、張出部と突片とは上面部材よりも上方に突出している。この紙箱を複数重ねた場合、上方の紙箱の底面は、下方の紙箱の上面部材の上に載置される。また、上方の紙箱の各側面は下方の紙箱の張出部の内側に位置し、上方の紙箱の各妻面は下方の紙箱の突片の内側に位置する。これにより、安定した状態で紙箱を積み重ねることができた。
【先行技術文献】
【特許文献】
【０００４】
【特許文献１】実公平１−２０２７６号公報
【発明の概要】
【発明が解決しようとする課題】
【０００５】
上記した紙箱は、安定した積み重ねを担保するために上面部材を備えた桟付きトレイであった。上面部材は上面開口の一部を隠してしまうため、内容物の出し入れがし難くなるという問題があった。また、上記した紙箱では、安定して紙箱を積み重ねるために多くの構成（張出部、上面部材および突片等）が必要になり、製造コストが増加すると共に組立工程が複雑になるという問題もあった。
【０００６】
本発明は、上記課題を解決するために、内容物の出し入れを容易に行うことができ、且つ簡単な構造で安定して積み重ねることができるトレイを提供する。
【課題を解決するための手段】
【０００７】
上記した目的を達成するため、本発明のトレイは、底壁と、前記底壁の第１方向の端部に立設される第１側壁と、前記底壁の第１方向に交差する第２方向の端部に立設される第２側壁と、前記第２側壁の第１方向の端部に折曲線を介して連設されている折返壁と、を備え、前記底壁と前記第２側壁との間には、第１方向の端部から内側に向かって切込部が切り込まれ、前記折返壁は、前記第１側壁に重なるように前記折曲線に沿って折り曲げられた状態で前記折曲線から先端に向かって前記底壁から離れるように傾斜した姿勢になり、前記折返壁が前記底壁の側に押し付けられながら前記第１側壁に保持される過程で、前記第２側壁は、前記切込部の突当り部と前記折曲線の上端部とを結ぶ線を支点として前記折曲線の下端部を第２方向外側に突出させるように変形する。
【０００８】
この場合、前記底壁と前記第２側壁とを平坦に展開した状態において前記折曲線は、前記切込部から第２方向外側に向かって第１方向外側に傾斜した状態に形成され、前記折曲線と前記折返壁の第２方向の外側縁部との成す角度が鈍角に設定されていることが好ましい。
【０００９】
他の場合、前記底壁と前記第２側壁とを平坦に展開した状態において前記折返壁は、前記折曲線から第２方向内側に向かって斜めに延設され、前記折曲線と前記折返壁の第２方向の外側縁部との成す角度が鈍角に設定されていることが好ましい。
【００１０】
また、他の場合、前記底壁と前記第２側壁とを平坦に展開した状態において前記折返壁は、前記折曲線から第２方向外側に向かって斜めに延設され、前記折曲線と前記折返壁の第２方向の外側縁部との成す角度が鈍角に設定されていることが好ましい。
【００１１】
この場合、前記第２側壁には、前記切込部の前記突当り部から前記折曲線の上端部までの間に斜めに延びて前記第２側壁を谷折りさせる逆折曲線が形成されていることが好ましい。
【００１２】
この場合、前記第１側壁は、第１外壁と第１内壁と対向させた二重構造に形成され、前記折返壁は、前記底壁の側に押し付けられながら前記第１外壁と前記第１内壁との間に挟まれて保持されることが好ましい。
【００１３】
この場合、前記第２側壁は、第２外壁と第２内壁と対向させた二重構造に形成され、前記折返壁は、前記折曲線を介して前記第２外壁の第１方向の端部に連設されていることが好ましい。
【発明の効果】
【００１４】
本発明によれば、トレイに収容された内容物の出し入れを容易に行うことができる。また、簡単な構造で安定してトレイを積み重ねることができる。
【図面の簡単な説明】
【００１５】
【図１】本発明の一実施形態に係るトレイを示す斜視図である。
【図２】本発明の一実施形態に係るトレイのブランクを示す平面図である。
【図３】本発明の一実施形態に係るトレイのブランクの一部を示す平面図である。
【図４】本発明の一実施形態に係るトレイの組立作業を説明する斜視図である。
【図５】本発明の一実施形態に係るトレイであって、組立途中のトレイの右側を示す斜視図である。
【図６】本発明の一実施形態に係るトレイの突出部の形成を説明する斜視図である。
【図７】本発明の一実施形態に係るトレイを積み重ねた状態を示す斜視図である。
【図８】本発明の一実施形態の変形例に係るトレイのブランクを示す平面図である。
【図９】本発明の一実施形態の他の変形例に係るトレイのブランクを示す平面図である。
【発明を実施するための形態】
【００１６】
以下、添付の図面を参照しつつ、本発明の実施形態について説明する。なお、図面に示す「Ｆｒ」は「前」を示し、「Ｒｒ」は「後」を示し、「Ｌ」は「左」を示し、「Ｒ」は「右」を示し、「Ｕ」は「上」を示し、「Ｄ」は「下」を示している。前後方向（第２方向）は、左右方向（第１方向）に直交（交差）し、上下方向は前後方向と左右方向とに直交（交差）している。本明細書では方向や位置を示す用語を用いるが、それらの用語は説明の便宜のために用いるものであって、本発明の技術的範囲を限定するものではない。
【００１７】
図１ないし図３を参照して、トレイ１について説明する。図１はトレイ１を示す斜視図である。図２はトレイ１のブランク５を示す平面図である。図３はブランク５の一部を示す平面図である。
【００１８】
［トレイの概要］
図１に示すように、トレイ１は、底壁１０（図２参照）の周縁部に端壁１１および側壁１２を立設させ、全体として略直方体状に形成されている。トレイ１の上端面には、底壁１０上に載置された内容物（図示せず）を出し入れするための開口部１Ａが開口している。このトレイ１の四隅の下部には、左右方向外側に突出した４つの突出部１８が形成されている。上方のトレイ１の各突出部１８が下方のトレイ１の各側壁１２の上端面に当接することで、複数のトレイ１を積み重ねることができるようになっている。
【００１９】
トレイ１は、図２に示すブランク５を組み立てることで形成されている。ブランク５は、１枚の紙製の段ボールシートを抜型等で打ち抜いて形成されている。段ボールシートは、例えば、波状の中しん９Ａに表ライナ９Ｂと裏ライナ９Ｃ（図４参照）とを貼り合せた両面段ボールシートである。なお、図２は、表ライナ９Ｂ側を示している。本明細書では、段ボールシートの中しん９Ａと平行な方向を「段方向」と呼び、段方向に直交する方向を「流れ方向」と呼ぶこととする。図面に示す「Ｘ」は「段方向」を示し、「Ｙ」は「流れ方向」を示している。また、本明細書では、「上（天）」、「下（底）」およびこれに類する用語は、トレイ１を組み立てた状態（使用状態）における上（天）、下（底）およびこれに類する概念を指している。
【００２０】
［ブランク］
図２に示すように、ブランク５は、底壁１０と、一対の端壁１１と、一対の側壁１２と、４つの折返壁１３と、を備えている。
【００２１】
底壁１０は、段方向に長い略長方形状に形成されている。第１側壁の一例としての一対の端壁１１は、第１折曲線Ｌ１を介して底壁１０の段方向両端部に連設されている。第２側壁の一例としての一対の側壁１２は、第３折曲線Ｌ３を介して底壁１０の流れ方向両端部に連設されている。一対の端壁１１は底壁１０を挟んで段方向に対称に形成され、一対の側壁１２は底壁１０を挟んで流れ方向に対称に形成されている。４つの折返壁１３は、一対の端壁１１を挟んで流れ方向に対称に形成され、且つ一対の側壁１２を挟んで段方向に対称に形成されている。なお、以下の説明では、主に、１つの端壁１１、１つの側壁１２および１つの折返壁１３について説明する。
【００２２】
＜端壁＞
端壁１１は、全体として流れ方向に長い略長方形状に形成されている。端壁１１は、第１外壁２０と、第１額縁部２１と、第１内壁２２と、を含んでいる。
【００２３】
（第１外壁）
第１外壁２０は、第１折曲線Ｌ１を介して底壁１０の段方向端部に連設されている。第１外壁２０は、流れ方向に長い略長方形状に形成されている。正確には、第１外壁２０は、底壁１０の側から先端に向かって徐々に幅広くなる略台形状に形成されている。第１外壁２０の段方向の寸法（延出寸法）は、底壁１０の段方向の寸法よりも短く（例えば１／４程度）設定されている。また、底壁１０と第１外壁２０との間には、流れ方向両端から内側に向かって一対の第１切込部２５が切り込まれている。第１切込部２５は、第１折曲線Ｌ１に沿って形成された溝である。なお、第１切込部２５は省略してもよい。
【００２４】
（第１額縁部）
第１額縁部２１は、２本の第２折曲線Ｌ２を介して第１外壁２０と第１内壁２２との間に設けられている。第１額縁部２１は、流れ方向に細長い略長方形状に形成されている。正確には、第１額縁部２１は、第１外壁２０の側から先端に向かって徐々に幅狭くなる略台形状に形成されている。第１額縁部２１の延出寸法は、段ボールシートの厚さと同程度に設定されている。
【００２５】
（第１内壁）
第１内壁２２は、第２折曲線Ｌ２を介して第１額縁部２１の先端部に連設されている。第１内壁２２は、第１額縁部２１を中心に第１外壁２０を反転させたような略台形状に形成されている。第１内壁２２の先端部の中央付近には、外側に僅かに突出した係合凸部２６が形成されている。
【００２６】
＜側壁＞
側壁１２は、全体として段方向に長い略長方形状に形成されている。側壁１２は、第２外壁３０と、第２額縁部３１と、第２内壁３２と、積層床部３３と、を含んでいる。
【００２７】
（第２外壁）
第２外壁３０は、第３折曲線Ｌ３を介して底壁１０の流れ方向端部に連設されている。第２外壁３０は、段方向に長い略長方形状に形成されている。正確には、第２外壁３０は、底壁１０の側から先端に向かって徐々に幅狭くなる略台形状に形成されている。第２外壁３０の流れ方向の寸法（延出寸法）は、第１外壁２０の延出寸法と略同一に設定されている。また、底壁１０と第２外壁３０（側壁１２）との間には、段方向（第１方向）両端から内側に向かって一対の第２切込部３５が切り込まれている。第２切込部３５は第３折曲線Ｌ３に沿って形成された溝であって、第２切込部３５の段方向の長さは第１切込部２５の流れ方向の長さよりも短く設定されている。
【００２８】
（第２額縁部）
第２額縁部３１は、２本の第４折曲線Ｌ４を介して第２外壁３０と第２内壁３２との間に設けられている。第２額縁部３１は、段方向に細長い略長方形状に形成されている。第２額縁部３１の延出寸法は、段ボールシートの厚みよりも僅かに長く設定されている。
【００２９】
（第２内壁）
第２内壁３２は、第４折曲線Ｌ４を介して第２額縁部３１の先端部に連設されている。第２内壁３２は、第２額縁部３１を中心に第２外壁３０を反転させたような略台形状に形成されている。
【００３０】
（積層床部）
積層床部３３は、第５折曲線Ｌ５を介して第２内壁３２の先端部に連設されている。積層床部３３は、段方向の長い略長方形状に形成されている。積層床部３３の延出寸法は、底壁１０の流れ方向の寸法の略半分に設定されている。積層床部３３の段方向両側の角部には、略四角形状の係合凹部３６が切り欠かれている。
【００３１】
なお、第１〜第４折曲線Ｌ１〜Ｌ４は、段ボールシートを裏ライナ９Ｃ側から厚み方向に直線状に潰した汎用罫線である。第１〜第４折曲線Ｌ１〜Ｌ４は、裏ライナ９Ｃを内側に向けるように段ボールシートを折曲（正折り）させる機能を有している。また、第５折曲線Ｌ５は、汎用罫線上に複数の切断線を所定間隔に並べたリード罫線である。第５折曲線Ｌ５は、表ライナ９Ｂを内側に向けるように段ボールシートを折曲（逆折り）させる機能を有している。なお、第１〜第４折曲線Ｌ１〜Ｌ４は、汎用罫線に限らず、段ボールシートを正折りさせるための線であれば如何なるものでもよい。また、第５折曲線Ｌ５は、リード罫線に限らず、段ボールシートを逆折りさせるための線であれば如何なるものでもよい。
【００３２】
＜折返壁＞
図２および図３に示すように、折返壁１３は、側部折曲線Ｌ１０を介して第２外壁３０（側壁１２）の段方向（第１方向）の端部に連設されている。（Ｃ１、Ｃ７）折返壁１３は、段方向に長い略長方形状に形成されている。折返壁１３の段方向の寸法（延出寸法）は、底壁１０の流れ方向の寸法の略半分に設定されている。
【００３３】
図３に示すように、折返壁１３の流れ方向の内側縁部１３Ａは、第２外壁３０の側から先端に向かって流れ方向外側に傾斜し、その内側縁部１３Ａの先端側は流れ方向外側に湾曲している。折返壁１３の流れ方向の外側縁部１３Ｂは、第２外壁３０と第２額縁部３１との間の第４折曲線Ｌ４の延長線上（正確には僅かにずれている。）に形成されている。なお、側部折曲線Ｌ１０は、汎用罫線であるが、これに限らず、段ボールシートを正折りさせるための線であれば如何なるものでもよい。
【００３４】
（側部折曲線）
図２および図３に示すように、底壁１０と側壁１２とを平坦に展開した状態において、側部折曲線Ｌ１０は、第２切込部３５から流れ方向（第２方向）外側に向かって段方向（第１方向）外側に傾斜した状態に形成されている。側部折曲線Ｌ１０の内側端部（下端部）は第１折曲線Ｌ１の延長線上（正確には僅かにずれている。）に位置し、側部折曲線Ｌ１０の外側端部（上端部）は第１折曲線Ｌ１よりも段方向外側に位置している。図３に示すように、側部折曲線Ｌ１０と第１折曲線Ｌ１の延長線とが成す角度θ１は、例えば、約５度に設定されている。また、側部折曲線Ｌ１０と折返壁１３の外側縁部１３Ｂとの成す角度θ２は、鈍角（例えば、約９５度）に設定されている。
【００３５】
（逆折曲線）
また、図２および図３に示すように、第２外壁３０（側壁１２）の段方向の端部付近には、逆折曲線Ｌ２０が形成されている。図３に示すように、逆折曲線Ｌ２０は、第２切込部３５の突当り部３５Ａから側部折曲線Ｌ１０の外側端部（上端部）までの間に斜めに延びている。逆折曲線Ｌ２０は、段ボールシートを表ライナ９Ｂ側から厚み方向に直線状に潰した逆罫線であって、第２外壁３０（側壁１２）を谷折りさせる機能を有している。なお、逆折曲線Ｌ２０は、逆罫線であったが、これに限らず、段ボールシートを逆折りさせるための線であれば如何なるものでもよい。
【００３６】
［トレイの組立］
次に、図１、図４ないし図６を参照して、トレイ１の組立作業について説明する。図４はトレイ１の組立作業を説明する斜視図である。図５は組立途中のトレイ１の右側を示す斜視図である。図６はトレイ１の突出部１８の形成を説明する斜視図である。なお、ここでは、一例として、作業者がトレイ１を組み立てる場合について説明する。また、説明を簡単にするため、主に、１つの端壁１１、１つの側壁１２および１つの折返壁１３に着目して説明する。
【００３７】
トレイ１は、裏ライナ９Ｃを上方に向けたブランク５を適宜折り曲げることで組み立てられる。
【００３８】
図４に示すように、作業者は、第２外壁３０を第３折曲線Ｌ３に沿って折り曲げ、第２外壁３０を底壁１０に対して立ち上げる。また、作業者は、第２額縁部３１を第４折曲線Ｌ４に沿って内側（底壁１０側）に折り曲げ、第２内壁３２を第４折曲線Ｌ４に沿って下方に折り曲げる。また、作業者は、積層床部３３を第５折曲線Ｌ５に沿って内側に折り曲げ、積層床部３３を底壁１０の上に重ねる。この状態で、一対の側壁１２は、底壁１０の前後両端部（第１方向に交差する第２方向の端部）に立設され、底壁１０を挟んで対向配置される。側壁１２は、第２外壁３０と第２内壁３２と対向させた二重構造に形成される。また、一対の積層床部３３の先端部は、底壁１０の前後方向の略中央で突き合わされている。一対の積層床部３３は、底壁１０に重なって二重壁を構成している。なお、第２額縁部３１は、外側から内側に向かって下方に傾斜した姿勢で配置されているが、これに限らず、略水平（底壁１０と略平行な）姿勢で配置されるようにしてもよい。
【００３９】
次に、図４および図５に示すように、作業者は、折返壁１３を側部折曲線Ｌ１０に沿って内側に折り曲げ、折返壁１３を第１折曲線Ｌ１上に起立した姿勢で配置する。折返壁１３（外側縁部１３Ｂ）は、側部折曲線Ｌ１０から先端に向かって上方に傾斜した姿勢になる。
【００４０】
次に、図１に示すように、作業者は、第１外壁２０を第１折曲線Ｌ１に沿って折り曲げ、第１外壁２０を底壁１０に対して立ち上げる。また、作業者は、第１額縁部２１を第２折曲線Ｌ２に沿って内側（底壁１０側）に折り曲げ、第１内壁２２を第２折曲線Ｌ２に沿って下方に折り曲げる。この状態で、一対の端壁１１は、底壁１０の左右両端部（第１方向の端部）に立設され、底壁１０を挟んで対向配置される。端壁１１は、第１外壁２０と第１内壁２２と対向させた二重構造に形成される。なお、第１内壁２２の係合凸部２６は、一対の積層床部３３の突き合せ部分の係合凹部３６に嵌合する。これにより、端壁１１および側壁１２を二重構造に維持することができる。
【００４１】
ところで、端壁１１（第１外壁２０、第１額縁部２１および第１内壁２２）は、二重壁となって一対の折返壁１３を包み込んでいる。詳細には、折返壁１３は、底壁１０の側（下方）に押し付けられながら第１外壁２０と第１内壁２２との間に挟まれて起立姿勢に保持される。上記したように、折返壁１３は、第１外壁２０および第１内壁２２（端壁１１）に重なるように側部折曲線Ｌ１０に沿って折り曲げられた状態で側部折曲線Ｌ１０から先端に向かって底壁１０から離れるように傾斜した姿勢になっている（図５参照）。このため、折返壁１３が端壁１１に包まれる（保持される）過程で、折返壁１３の先端部（外側縁部１３Ｂ）は第１額縁部２１の内面に当接して底壁１０に向かって押し付けられる（押し下げられる）ことになる（図６の太い矢印参照）。
【００４２】
図６に示すように、折返壁１３の先端部の押し下げに連動して、第２外壁３０は、第２切込部３５の突当り部３５Ａと側部折曲線Ｌ１０の上端部とを結ぶ線を支点として前後方向外側に回動する。詳細には、第２外壁３０は、逆折曲線Ｌ２０に沿って谷折りされて側部折曲線Ｌ１０の下端部を前後方向外側に突出させるように変形する。すると、各第２外壁３０の左右両端部には、側部折曲線Ｌ１０の上下両端部および第２切込部３５の突当り部３５Ａを頂点とした略三角錐状の突出部１８が形成される。
【００４３】
以上によって、一対の端壁１１と一対の側壁１２とが底壁１０の周縁部に略垂直に立設され、上端面に開口部１Ａを有するトレイ１が組み立てられる（図１参照）。作業者は、組み立てたトレイ１の一対の積層床部３３の上に内容物を載置する。なお、このトレイ１の全ての表面には表ライナ９Ｂが表れるようになっている。
【００４４】
［トレイの積層］
次に、図７を参照して、トレイ１の積層作用について説明する。図７はトレイ１を積み重ねた状態を示す斜視図である。なお、以下の説明では、２つのトレイ１を積み重ねる場合について説明する。また、説明の便宜上、下方のトレイ１を「下段トレイ１（Ｄ）」とも呼び、下段トレイ１（Ｄ）の各構成に符号「（Ｄ）」を付加し、上方のトレイ１を「上段トレイ１（Ｕ）」とも呼び、上段トレイ１（Ｕ）の各構成に符号「（Ｕ）」を付加することとする。
【００４５】
作業者は、下段トレイ１（Ｄ）の上方に上段トレイ１（Ｕ）を同じ向きに配置し、上段トレイ１（Ｕ）を下降させる。作業者は、上段トレイ１（Ｕ）の４つの突出部１８（Ｕ）を、下段トレイ１（Ｄ）の一対の側壁１２（Ｄ）の上端面（第２額縁部３１（Ｄ））に当接させる。以上によって、上段トレイ１（Ｕ）が下段トレイ１（Ｄ）に積み重ねられた状態になる。
【００４６】
以上説明した本実施形態に係るトレイ１では、折返壁１３が底壁１０の側に押し付けられながら端壁１１に保持される過程で、側壁１２の第２外壁３０は、第２切込部３５の突当り部３５Ａと側部折曲線Ｌ１０の上端部とを結ぶ線を支点として側部折曲線Ｌ１０の下端部を前後方向外側に突出させるように変形する構成とした。この構成によれば、折返壁１３を押し下げた状態で端壁１１に保持させることで、自動的に側壁１２の端部付近を略三角錐状の突出部１８に変形させることができる。これにより、上方のトレイ１（Ｕ）の突出部１８を、下方のトレイ１（Ｄ）の側壁１２の上端面に当接させることができるため、複数のトレイ１を安定した状態で積み重ねることができる。また、トレイ１の安定した積層を担保するための部材（例えば、開口部１Ａの一部を覆う桟部材等）を省略することができるため、トレイ１の製造コストを削減することができると共に組立工程を簡素化することができる。さらに、いわゆる桟付きトレイとは異なり、トレイ１の上端面の略全体を開口部１Ａとすることができるため、トレイ１に収容した内容物を容易に出し入れすることができる。
【００４７】
また、本実施形態に係るトレイ１では、ブランク５の状態で、側部折曲線Ｌ１０と折返壁１３の外側縁部１３Ｂとの成す角度θ２が鈍角に設定されていた。この構成によれば、この角度θ２を大きくすることによって側部折曲線Ｌ１０の下端部の突出量を大きくすることができ、逆に角度θ２を小さくすることによって側部折曲線Ｌ１０の下端部の突出量を小さくすることができる。これにより、トレイ１のサイズや形状、想定される積層数、その他の様々な仕様や用途に応じて突出部１８の大きさ（側部折曲線Ｌ１０の下端部の突出量）を自由に設定することができる。
【００４８】
また、本実施形態に係るトレイ１によれば、側壁１２を逆折曲線Ｌ２０に沿って逆折りすることができるため、小さな力で突出部１８（側部折曲線Ｌ１０の下端部）を突出させることができる。また、突出部１８（側壁１２の端部付近）を綺麗な三角錐状に変形させることができるため、トレイ１の意匠性を向上させることができる。なお、逆折曲線Ｌ２０は省略されてもよい。逆折曲線Ｌ２０が省略された場合、第２外壁３０は、突当り部３５Ａと側部折曲線Ｌ１０の上端部とを結ぶ線を支点として撓むように変形する（湾曲する）ことになる。
【００４９】
また、本実施形態に係るトレイ１によれば、端壁１１が二重構造となって折返壁１３を上から押え付けることで、折返壁１３を押し下げながら起立姿勢に保持することができ、側壁１２の左右両端部付近を突出部１８に変形させた状態に維持することができる。
【００５０】
また、本実施形態に係るトレイ１によれば、側壁１２を二重構造とすることで、側壁１２を分厚く形成することができる。これにより、上方のトレイ１（Ｕ）の突出部１８を、下方のトレイ１（Ｄ）の側壁１２の上端面に確りと載置することができる。その結果、複数のトレイ１を安定して積み重ねることができる。
【００５１】
なお、本実施形態に係るトレイ１では、底壁１０と側壁１２とを平坦に展開した状態（ブランク５の状態）において、折返壁１３の外側縁部１３Ｂが第４折曲線Ｌ４と平行に形成され、側部折曲線Ｌ１０が第１折曲線Ｌ１に対して傾斜していたが、本発明はこれに限定されない。
【００５２】
図８に示すように、例えば、変形例に係るトレイ２（ブランク６）として、折返壁１４は、側部折曲線Ｌ１１から流れ方向（第２方向）内側に向かって斜めに延設されていてもよい。この場合でも、側部折曲線Ｌ１１は、折返壁１４の外側縁部１４Ｂと鈍角を成すように斜めに形成されている。このブランク６を組み立てると、一対の端壁１１と一対の側壁１２とは外側に傾斜した姿勢で底壁１０の周縁部に立設され、開口部（図示せず）が底壁１０よりも広く形成されたトレイ２になる。このトレイ２のように、開口部が底壁１０よりも広い場合、側部折曲線Ｌ１１と折返壁１４の外側縁部１４Ｂとの成す角度θ２を大きく設定し、側部折曲線Ｌ１１の下端部の突出量を大きくすることが好ましい。
【００５３】
また、図９に示すように、例えば、他の変形例に係るトレイ３（ブランク７）として、折返壁１５は、側部折曲線Ｌ１２から流れ方向（第２方向）外側に向かって斜めに延設されていてもよい。この場合、側部折曲線Ｌ１２は第１折曲線Ｌ１と略平行に形成されていてもよいし、折返壁１５の外側縁部１５Ｂと鈍角を成すように斜めに形成されていてもよい。このブランク７を組み立てると、上記したトレイ２とは逆に、一対の端壁１１と一対の側壁１２とが内側に傾斜したトレイ３になる。このトレイ３のように、開口部（図示せず）が底壁１０よりも狭い場合、側部折曲線Ｌ１２と折返壁１５の外側縁部１５Ｂとの成す角度θ２を小さく設定し、側部折曲線Ｌ１２の下端部の突出量を小さくしてもよい。
【００５４】
以上説明した各変形例に係るトレイ２，３によれば、内容物の出し入れを容易に行うことができ、且つ簡単な構造で安定してトレイ２，３を積み重ねることができる等の上記したトレイ１と同様の効果を得ることができる。
【００５５】
なお、本実施形態（各変形例を含む。以下同じ。）に係るトレイ１〜３（以下、「トレイ１等」と呼ぶ。）では、端壁１１が二重構造であったが、これに限らず、例えば、端壁が一重の壁で構成されていてもよい（図示せず）。この場合、折返壁１３〜１５は、端壁の内面または外面に接着されることで端壁に保持されることが好ましい（図示せず）。また、本実施形態に係るトレイ１等では、側壁１２が二重構造であったが、これに限らず、側壁が一重の壁で構成されてもよい（図示せず）。
【００５６】
また、本実施形態に係るトレイ１等では、一対の積層床部３３が一対の側壁１２に含まれていたがが、本発明はこれに限定されない。例えば、一対の側壁１２の何れか一方にのみ１つの積層床部が含まれていてもよい（図示せず）。また、他にも、側壁１２から積層床部３３が省略されていてもよい。
【００５７】
また、本実施形態に係るトレイ１は、略直方体状に形成されていたが、これに限らず、その他の多面体（例えば、三角柱状や八角形柱状等）を成すように各壁が設計されていてもよい（図示せず）。
【００５８】
また、本実施形態に係るトレイ１は、紙製の段ボールシートで形成されていたが、これに限らず、厚紙や樹脂製の板（シート）等で形成されていてもよい。
【００５９】
なお、上記実施形態の説明は、本発明に係る包装箱における一態様を示すものであって、本発明の技術範囲は、上記実施形態に限定されるものではない。
【符号の説明】
【００６０】
１，２，３        トレイ
１０              底壁
１１              端壁（第１側壁）
１２              側壁（第２側壁）
１３，１４，１５  折返壁
２０              第１外壁
２２              第１内壁
３０              第２外壁
３２              第２内壁
３５              第２切込部（切込部）
３５Ａ            突当り部
Ｌ１０，Ｌ１１，Ｌ１２  側部折曲線（折曲線）
Ｌ２０            逆折曲線
【図１】
2019142536.tif 000003
【図２】
2019142536.tif 000004
【図３】
2019142536.tif 000005
【図４】
2019142536.tif 000006
【図５】
2019142536.tif 000007
【図６】
2019142536.tif 000008
【図７】
2019142536.tif 000009
【図８】
2019142536.tif 000010
【図９】
2019142536.tif 000011